(57)【要約】【課題】フォトブック作成システムにおいて、オペレータの嗜好・習熟度に依存せずに、広い観点で画質をチェックすることが可能であり、かつ、印刷用紙量を抑えたテスト印刷データを自動で生成すること。【解決手段】テスト印刷の実行指示を受け付ける手段と、本印刷データを構成する複数のオリジナル画像データを取得する画像データ取得手段と、取得した画像データに対し、予め定義された画像タイプに該当するかを判定する画像タイプ判定手段と、画像タイプ判定手段の結果に基づき、画像タイプとチェック観点との組み合わせに、オリジナル画像データを割り当てる画像割当手段と、画像タイプと画質チェック観点との組み合わせに対して許可される所定の画像編集処理を割り当てられた画像データに施す画像編集処理手段と、編集処理後の画像データ群をレイアウトしテスト印刷データを生成するテスト印刷データ生成手段とを有することを特徴とする。【選択図】図３
2015226168.tif 000002
【特許請求の範囲】
【請求項１】
本印刷前に画質を確認するためのテスト印刷手段を備える画像形成システムであって、
前記テスト印刷手段は、
テスト印刷の実行指示を受け付けるテスト印刷指示受付手段（Ｓ３０１）と、
本印刷データを構成する複数のオリジナル画像データを取得する画像データ取得手段（Ｓ３０２）と、
取得したオリジナル画像データに対し、予め定義された画像タイプに該当するかを判定する画像タイプ判定手段（Ｓ３０４）と、
前記画像タイプ判定手段の結果に基づき、所定の必要数が定められた、画像タイプと画像タイプごとに定義されるチェック観点との組み合わせに、オリジナル画像データを割り当てる画像割当手段（Ｓ３０５）と、
割り当てられた画像タイプと画質チェック観点との組み合わせに対して許可される所定の画像処理を、画像割当て手段により割り当てられたオリジナル画像データに施す画像処理手段（Ｓ３０６）と、
画像編集処理手段により処理された、処理後画像データ群をレイアウトすることでテスト印刷データを生成するテスト印刷データ生成手段（Ｓ３０７）と
を有することを特徴とする画像形成システム。
【請求項２】
前記画像編集処理手段（Ｓ３０６）であって、所定の画像編集処理として、縮小処理（Ｓ６０４）とトリミング処理（Ｓ６０６）のいずれか、あるいは双方を実施することを特徴とする請求項１に記載の画像形成システム。
【請求項３】
前記テスト印刷データ生成手段（Ｓ３０７）であって、システムが予め定義する所定の用紙サイズに、処理後画像データ群をレイアウトすることを特徴とする請求項１又は請求項２に記載の画像形成システム。
【請求項４】
前記テスト印刷データ生成手段（Ｓ３０７）であって、オペレータが予め指定した用紙サイズに、処理後画像データ群をレイアウトすることを特徴とする請求項１又は請求項２に記載の画像形成システム。
【請求項５】
前記テスト印刷データ生成手段（Ｓ３０７）であって、テスト印刷データ生成時点に印刷装置に格納されている複数の用紙のサイズ情報を取得し、最大の用紙サイズに処理後画像データ群をレイアウトすることを特徴とする請求項１又は請求項２に記載の画像形成システム。
【請求項６】
前記テスト印刷データ生成手段（Ｓ３０７）であって、テスト印刷データ出力に使用する用紙の属性設定をオペレータに許可する手段を有することを特徴とする請求項１乃至請求項５の何れか一項に記載の画像形成システム。
【請求項７】
前記テスト印刷データ生成手段（Ｓ３０７）であって、処理後画像の各々の近傍に、画像割当手段によって割り当てられた画像タイプ、及び、チェック観点の情報を追加することを特徴とする請求項１乃至請求項６の何れか一項に記載の画像形成システム。
【請求項８】
前記画像割当手段（Ｓ３０５）であって、システムが予め定義した順序の画像タイプに対して、画像割当処理（Ｓ３０５）を実施することを特徴とする請求項１乃至請求項７の何れか一項に記載の画像形成システム。
【請求項９】
前記画像割当手段（Ｓ３０５）であって、前記画像タイプ判定手段（Ｓ３０４）の結果と前記所定の必要数の関係から、画像タイプの処理順序を決定する（Ｓ５０２）ことを特徴とする請求項１乃至請求項７の何れか一項に記載の画像形成システム。
【請求項１０】
前記画像割当手段（Ｓ３０５）であって、オペレータからの指示に基づき、画像の割り当て処理（Ｓ３０５）を実施する画像タイプの順序、又は対象を決定する（Ｓ５０２）ことを特徴とする請求項１乃至請求項９の何れか一項に記載の画像形成システム。
【請求項１１】
前記画像タイプ判定手段（Ｓ３０４）が、オペレータからの指示に基づき、特定の画像タイプの判定処理（Ｓ３０４）を実施しないことを特徴とする請求項１０に記載の画像形成システム。
【請求項１２】
前記画像タイプ判定手段（Ｓ３０４）が、所定のサイズに満たないオリジナル画像データに対しては、画像タイプ判定処理（Ｓ３０４）を行わないことを特徴とする請求項１乃至請求項１１の何れか一項に記載の画像形成システム。
【請求項１３】
前記画像割当手段（Ｓ３０５）を実施した結果、画像タイプ枠に割り当てるオリジナル画像データが、前記所定の必要数に満たない場合に、画像タイプ判定処理（Ｓ３０４）が行われなかったオリジナル画像データに対して、画像タイプ判定処理（Ｓ３０４）、画像割当処理（Ｓ３０５）を実行することを特徴とする請求項１２に記載の画像形成システム。
【請求項１４】
前記画像割当手段（Ｓ３０５）を実施した結果、画像タイプ枠に割り当てるオリジナル画像データが、前記所定の必要数に満たない場合に、必要数に満たないまま以降の処理を実施することを特徴とする請求項１乃至請求項１３の何れか一項に記載の画像形成システム。
【請求項１５】
前記画像割当手段（Ｓ３０５）であって、前記所定の必要数を事前に定義することを特徴とする請求項１乃至請求項１４の何れか一項に記載の画像形成システム。
【請求項１６】
前記画像割当手段（Ｓ３０５）であって、本印刷データの情報を基に、前記所定の必要数を動的に決定することを特徴とする請求項１乃至請求項１４の何れか一項に記載の画像形成システム。
【発明の詳細な説明】
【技術分野】
【０００１】
本発明は、フォトブック作成システムにおけるテスト印刷データ生成技術に関する。
【背景技術】
【０００２】
従来、パーソナルコンピュータ上で、複数ページを有するレイアウトに画像データを配置して電子的にアルバムを作成できる電子アルバム作成システムがある。この電子アルバム作成システム上でユーザーが作成した電子アルバムデータは、ネットワークを経由して印刷システムに送信された後に、印刷オペレータの操作によって印刷装置から、いわゆるフォトブックとして出力される。そして、印刷オペレータは、出力物の画質を確認し、ユーザーの意図しない画質問題が発生していないかチェックを行う。
【０００３】
画質のチェック観点としては、例えば、人物の肌の色味や粒状感、あるいは、シャドウ部、ハイライト部の階調性などが挙げられる。この時、画質上の問題が発生していた場合、オペレータは出力物を破棄し、フォトブックの出力を再度印刷装置に指示する。一般的に、受注部数が少ないフォトブックの場合、本印刷の出力物を破棄すると、本印刷に対する失敗コストが高くなてつぃます。そのため、本印刷の前にオリジナルデータの一部を出力するテスト印刷により、省コストで画質チェックのコストを低減する手法が望まれている。
【０００４】
従来、テスト印刷の消費用紙量を抑える手法は、下記の先行特許文献にて提案されている。特許文献１、特許文献２で提案される手法では、オリジナルの印刷データに含まれる画像データ中の特定の領域をテスト印刷用領域として設定する。そして、このテスト印刷用領域に対して、複数の画像処理パラメータを適用させた結果を同一紙面上に集約して出力することで、オペレータが最適な画像処理条件を決定するためのテスト印刷量を軽減している。また、特許文献３では、オリジナルジョブの先頭ページ、あるいは、指定範囲ページといった特定のページのみをテスト印刷として出力することで、テスト印刷の用紙量を軽減する手法が提案されている。
【先行技術文献】
【特許文献】
【０００５】
【特許文献１】特開２００２−２０９０９０号公報
【特許文献２】特開２００１−０４７７１２号公報
【特許文献３】特開２００２−３３７４３０号公報
【発明の概要】
【発明が解決しようとする課題】
【０００６】
しかしながら、いずれの先行技術も、テスト印刷用データが、オペレータが自ら指定する特定の領域（画像、ページ）に限定される。そのため、一度のテスト印刷で、フォトブックに含まれる多種多様な画像データを複数の観点でチェックすることは難しい。また、テスト印刷対象をオペレータが自ら指定するため、チェック観点がオペレータの嗜好、習熟度に依存する。さらに、オペレータがオリジナルデータに含まれる画像データの特性、あるいはページ内容を把握した上でテスト印刷対象を選択しなければ、画質チェックの精度とテスト印刷コストの低減の両立は難しい。
【０００７】
そこで本発明では、オペレータの嗜好・習熟度に依存せずに、広い観点で画質をチェックすることが可能であり、かつ、印刷用紙量を抑えたテスト印刷データを自動で生成する手段を提供することを目的とする。
【課題を解決するための手段】
【０００８】
上記の課題を解決するために、本発明に係る画像形成システムの構成は、
テスト印刷の実行指示を受け付けるテスト印刷指示受付手段と、本印刷データを構成する複数のオリジナル画像データを取得する画像データ取得手段と、取得したオリジナル画像データに対し、予め定義された画像タイプに該当するかを判定する画像タイプ判定手段と、前記画像タイプ判定手段の結果に基づき、所定の必要数が定められた、画像タイプと画像タイプごとに定義されるチェック観点との組み合わせに、オリジナル画像データを割り当てる画像割当手段と、割り当てられた画像タイプと画質チェック観点との組み合わせに対して許可される所定の画像編集処理を、画像割当て手段により割り当てられたオリジナル画像データに施す画像編集処理手段と、画像編集処理手段により処理された、処理後画像データ群をレイアウトすることでテスト印刷データを生成するテスト印刷データ生成手段とを有することを特徴とする。
【発明の効果】
【０００９】
本発明によれば、オペレータの嗜好、習熟度に依存することなく、広い観点で画質をチェック可能なテスト印刷データを自動で作成することができる。また、画質チェックに与える影響を抑えつつテスト画像データを編集するため、画質チェックの精度とテスト印刷コストの低減の両立が可能となる。
【図面の簡単な説明】
【００１０】
【図１】本発明の一実施形態としてフォトブック作成システム全体構成を示す図
【図２】情報処理装置２００の内部構成を示すブロック図の一例
【図３】実施例１におけるテスト印刷データ作成フローを示す図
【図４】実施例１における画像タイプ判定処理Ｓ３０４のフロー図
【図５】実施例１における画像割当処理Ｓ３０５のフロー図
【図６】実施例１における画像編集処理Ｓ３０６のフロー図
【図７】実施例１におけるジョブ管理画面７００の一例を示す図
【図８】実施例１、４におけるテスト印刷設定画面８００の一例を示す図
【図９】実施例１における画像割当結果（９００，９０１）の一例を示す図
【図１０】実施例１における画像リストデータ１０００の一例を示す図
【図１１】実施例１における画像割当リストデータ１１００の一例を示す図
【図１２】実施例３における画像割当数パラメータ情報１２００の一例を示す図
【発明を実施するための形態】
【００１１】
以下、本発明を実施するための最良の形態について図面を用いて説明する。
【００１２】
＜フォトブック作成システムの構成図＞
図１は、本発明の一実施の形態に係るフォトブック作成システムの構成図である。以下、図１を用いて冊子作成システムの構成を説明する。１０１は画像入力装置であり、イメージ情報である光学像を電気信号に変換し、所定の画像処理をした後にデジタル情報として記録、再生する画像入力装置である。例えば、画像入力装置１０１は、デジタルスチルカメラや、デジタルビデオカメラや、またはスキャナである。１０２は、ユーザーが操作するパーソナルコンピュータからなるクライアント装置である。クライアント装置１０２は画像入力装置１０１やネットワーク１０６経由で取得した画像データをＨＤＤ等の記憶装置に記憶し、後述のアルバム編集手段にて使用する。
【００１３】
１０３は、プリントサイトであって、ネットワーク１０６を介してクライアント装置１０２に接続される。ユーザーはネットワーク１０６を介してプリントサイト１０３にアクセスし、アルバム編集に使用するテンプレートや画像データの取得、及び、作成したアルバムデータの印刷注文を実行することが可能である。
【００１４】
印刷システム１０４は、プリントサイト１０３よりアルバムデータの印刷指示を受け取り、本システムの最終成果物であるフォトブックを出力する。
【００１５】
印刷システム１０４は、情報処理装置２００と、印刷装置２０１から構成される。情報処理装置２００は、印刷システム１０４に投入された印刷ジョブの受信や管理、後工程を含めたワークフローの管理、印刷装置２０１の機器情報の取得、そして、印刷装置２０１への印刷ジョブの送信などを実行する。印刷装置２０１は、情報処理装置２００から送信されてきた印刷ジョブを解釈し、ラスタライズして印刷する。
【００１６】
１０６は、インターネットなどのネットワークであり、クライアント装置１０２とプリントサイト１０３が接続され、各種データの送受信が行われる。
【００１７】
１１０は、プリントサイト１０３上のコンテンツＤＢであり、電子アルバム用のテンプレートデータや画像データが格納されている。
【００１８】
図２は、情報処理装置２００の内部構成を示すブロック図の一例である。ＣＰＵ２０１は、ＲＯＭ２０６内部のプログラム領域に記憶されたプログラム、又は、ハードディスク２０３からＲＡＭ２０２にロードされたＯＳ、汎用アプリケーション等のプログラムを実行する。ＲＡＭ２０２は、ＣＰＵ２０１の主メモリ、ワークエリア等として機能する。ハードディスク２０３は、ブートプログラム、種々のアプリケーション、フォントデータ、ユーザファイル、電子原稿ファイル等を記憶する。また、情報処理装置２００に受信される印刷ジョブは、全てハードディスク２０３に送られる。ディスプレイコントローラ２０４はディスプレイによる表示の制御を行う。ネットワークコントローラ２０５は、ネットワークに接続された他の機器との通信制御処理を実行する。キーボードコントローラ２０９は、キーボードやポインティングデバイスからのキー入力を制御する。また、ＣＰＵ２０１は、内部バス２１０によって、それぞれのブロックと接続されている。
【００１９】
＜アルバム編集手段＞
ユーザーがアルバムデータを作成するためのアルバム編集手段は、クライアント装置１０２上でアプリケーションとして実現される。アルバム編集手段は、ユーザーからの指示に従い、プリントサイト１０３上での商品選択、レイアウトの編集処理、及び、アルバムに使用する画像データの選択・編集処理を実行し、電子アルバムデータを生成する。その後、アルバム編集手段は、ユーザーがプリントサイト１０３上でアルバムデータの印刷を注文する際に、生成した電子アルバムデータ、及び、レイアウト情報をプリントサイト１０３にアップロードする。この時、アルバム編集手段は、電子アルバムを作成するために変倍、トリミングなどの画像処理が施された後の画像データも、電子アルバムデータとともにプリントサイト１０３にアップロードする。そして、アップロードされた画像データは、プリントサイト１０３のコンテンツＤＢ１１０に保存され、後述のテスト印刷データ作成に使用される。
【００２０】
＜実施例１＞
次に、第一実施形態における、情報処理装置２００が行うテスト印刷データ作成処理の一例を図３に示すフローチャートを用いて説明する。本フローチャートは、情報処理装置２００のＲＯＭ２０６に格納されたプログラムに従って、情報処理装置２００のＣＰＵ２０１が実行することによって実現される。
【００２１】
Ｓ３０１において、情報処理装置２００はテスト印刷指示をオペレータから受け付ける。オペレータは、情報処理装置２００、または情報処理装置２００とネットワークで接続される端末のＵＩ上で、図７に示すジョブ管理画面７００を参照することができる。オペレータはジョブ管理画面７００上で、テスト印刷を実行したいジョブを選択する。そして、選択されたジョブに対して表示される処理指示領域７０１内のテスト印刷ボタン７０２がオペレータにより押下されたことを検出することで、情報処理装置２００はテスト印刷の指示を受け付ける。
【００２２】
次に、Ｓ３０２において、情報処理装置２００は、本印刷データを構成する画像データを、ネットワークを介し、コンテンツＤＢ１１０から取得する。
【００２３】
そして、Ｓ３０３において、情報処理装置２００は、コンテンツＤＢ１１０から取得した画像データをサイズが大きい順番にソートし、順にデータＩＤを割り振ることで、図１０に示す画像リストデータ１０００を作成する。情報処理装置２００によって作成された画像リストデータ１０００は、ＲＡＭ２０２に保存され、以降の処理で使用される。なお、ソート処理の基準となる画像のサイズは、画像データの画素数から決定してもよいし、前述のクライアント装置１０２でのアルバム編集手段にて各画像データに適用したレイアウト情報から決定してもよい。一般的な電子アルバム作成サービスにおいては、画像データのレイアウト枠は数種類に限られており、それぞれの枠のサイズも定型となっている。したがって、情報処理装置２００がコンテンツＤＢ１１０から、画像データと同時にレイアウト情報も取得すれば、各画像データのサイズの判定は容易に可能である。
【００２４】
次に、情報処理装置２００はＳ３０４にて、取得した画像データに対し、画像タイプ判定処理を実施する。そして、情報処理装置２００は、画像タイプ判定結果をもとに、Ｓ３０５にて画像割当処理を、続いて、Ｓ３０６にて画像編集処理を実施する。
【００２５】
画像タイプ判定処理Ｓ３０４、画像割当処理Ｓ３０５、そして、画像編集処理Ｓ３０６の詳細は後ほど説明する。
【００２６】
Ｓ３０７では、情報処理装置２００は、Ｓ３０６で処理された処理後画像データを、後述の画像割当リスト１１００を参照し所定の用紙サイズにレイアウトすることで、テスト印刷データを生成する。そして、Ｓ３０８で、印刷装置２０１がテスト印刷データを出力するよう制御し、処理フローを終了する。なお、画像データをレイアウトする手法としては、画像データをサイズ順にソートした後に、サイズが大きいものから順に配置するなどの、公知の自動画像レイアウト技術を用いるため、詳細な説明を省略する。
【００２７】
その後、オペレータは出力されたテスト印刷データをチェックした後に、ジョブ管理画面７００から本印刷、あるいは、テスト印刷の再実行などの処理を情報処理装置２００に指示する。
【００２８】
＜テスト印刷の用紙サイズ＞
なお、Ｓ３０７のレイアウト処理における「所定の用紙サイズ」とは、印刷システムが予め定義する固定のサイズである。例えば、Ａ３や１１＊１９のようなラージサイズが、１枚の用紙内により多くの処理後画像データを配置することができるため、テスト印刷コストの低減という観点で好ましい。
【００２９】
あるいは、情報処理装置２００は、「所定の用紙サイズ」として、オペレータにＵＩ上で任意の用紙サイズを設定させることも可能である。この場合、情報処理装置２００は、オペレータによる所定のＵＩ操作を受け、図８（Ａ）に示すテスト印刷設定画面８００をディスプレイに表示する。そして、テスト印刷設定画面８００上にて、オペレータによる用紙サイズ設定ボタン８０１の押下を検出すると、情報処理装置２００は、図８（Ｂ）の用紙サイズ設定画面８１０をディスプレイに表示する。オペレータは、用紙サイズ設定画面８１０上にて、テスト印刷に使用する用紙サイズを選択することができる。例えば、Ａ４ボタン８１１を選択後、ＯＫボタン８１４を押下されたことを検出すると、情報処理装置２００は、以降は処理後画像データをＡ４の用紙サイズにレイアウトするよう制御する。なお、図８が示す用紙サイズ設定画面８１０の例においては、説明の簡略化のために、Ａ４ボタン８１１とＡ３ボタン８１２の２種類しか示されていないがその限りではない。オペレータがＬＴＲや１１＊１９のようなその他の用紙サイズを自由に選択できるよう画面を構成することも可能である。
【００３０】
あるいは、情報処理装置２００は、「所定の用紙サイズ」として、テスト印刷データ作成時の印刷装置２０１に格納されている最大の用紙サイズを適用してもよい。
【００３１】
情報処理装置２００は、前述の用紙サイズ設定画面８１０上にて、オペレータが「最大用紙サイズを使用」ボタン８１３を選択後、ＯＫボタン８１４を押下したことを検知する。この状態でテスト印刷指示を受けると、情報処理装置２００は、印刷装置２０１の複数の給紙トレイに格納されている用紙のサイズ情報を動的に取得する。そして、情報処理装置２００は、取得した複数給紙トレイの用紙サイズ情報から最大の用紙サイズを特定し、これをテスト印刷データ作成用の用紙サイズと定義する。例えば、印刷装置が３つの給紙段を有しており、それぞれ、Ａ４，ＬＴＲ，１１＊１９のサイズの用紙が格納されている場合、情報処理装置２００は最大となる１１＊１９をテスト印刷データ作成用の用紙サイズと定義する。
【００３２】
＜テスト印刷の用紙属性＞
情報処理装置２００は、Ｓ３０８でテスト印刷データを印刷装置２０１に送信する際に、テスト印刷用紙の用紙属性を指定する。用紙属性とは、非コート紙、コート紙といった情報であり、印刷装置２０１の各給紙トレイに対して、格納された用紙に応じて設定するのが一般的である。上記の実施例においては、情報処理装置２００は、本印刷で指定された用紙属性と同じ属性をテスト印刷時にも指定する。なぜなら、同一の用紙属性であるほうが、より本印刷に忠実な画質確認が可能なためである。
【００３３】
しかし、用紙属性の指定手段はこの限りでは無く、オペレータが任意の用紙属性を指定することも可能である。この場合、情報処理装置２００は、オペレータによる所定のＵＩ操作を受け、前述のテスト印刷設定画面８００をディスプレイに表示する。そして、テスト印刷設定画面８００上にて、オペレータによる用紙属性設定ボタン８０２の押下を検出すると、情報処理装置２００は、図８（Ｃ）の用紙属性設定画面８２０をディスプレイに表示する。オペレータは、用紙属性設定画面８２０上にて、テスト印刷に使用する任意の用紙属性を選択することができる。例えば、非コート紙ボタン８２３を選択後、ＯＫボタン８２５を押下されたことを検出すると、情報処理装置２００は、以降は処理後画像データを非コート紙の用紙に出力するよう印刷装置２０１に指示する。なお、図８が示す用紙サイズ設定画面８２０の例においては、説明の簡略化のために、用紙属性の選択肢として非コート紙ボタン８２３とコート紙ボタン８２４の２種類しか示されていないがその限りではない。オペレータが厚紙や薄紙といったその他の用紙属性を自由に選択できるよう画面を構成することも可能である。
【００３４】
また、図８が示す用紙サイズ設定画面８２０の例においては、「本印刷と同じ」ボタン８２１が示されているが、前述のとおり本印刷に忠実な画質確認を実現するために、システムの初期状態では本ボタンが選択されているのが好ましい。また、同画面上に示される「自動」ボタン８２２が選択されると、情報処理装置２００は、テスト印刷に使用される用紙の用紙属性は問わないよう印刷装置２０１に指示する。なお、前述のテスト印刷用紙サイズ設定にて「最大用紙サイズを使用」ボタン８１３が選択された場合は、情報処理装置２００は自動的に「自動」ボタン８２２が選択された状態になるように制御する。これは「最大用紙サイズを使用」時に、情報処理装置２００は印刷装置２０１の用紙サイズ情報のみを参照し、用紙属性は問わないためである。
【００３５】
＜画像タイプ判定処理＞
次に、前述の画像タイプ判定処理Ｓ３０４の詳細を図４に示す処理フロー図を使って説明する。本フローチャートは、情報処理装置２００のＲＯＭ２０６に格納されたプログラムに従って、情報処理装置２００のＣＰＵ２０１が実行することによって実現される。
【００３６】
まず、情報処理装置２００は、Ｓ４０１にて、画像タイプ判定モードを決定する画像タイプ判定モードとは、以降の画像タイプ判定処理の判定基準を示すものであり、例えば、「人物」、「風景」、「ダーク」、「ハイライト」などの画像タイプが例として挙げられる。以降は、この４つの画像タイプを例に実施形態を説明し、画像タイプ判定モードの順番は、「人物」、「風景」、「ダーク」、「ハイライト」の順とする。情報処理装置２００は、画像タイプ判定処理の開始直後は、一番先頭の画像タイプを選択するため、ここでは「人物」を画像タイプ判定モードとして決定する。
【００３７】
次に、Ｓ４０２にて、情報処理装置２００は、画像タイプ判定を実施する対象画像データを決定する。初めて処理する場合は、情報処理装置２００は、対象画像データとして、ＲＡＭ２０２内の画像リストデータ１０００中の先頭の画像データを選択する。
【００３８】
続いて、情報処理装置２００は、Ｓ４０３にて、当該画像データに対して画像タイプの判定を実施する。画像タイプの判定基準は、画像タイプ判定モードによって異なる。例えば、画像タイプ判定モードが「人物」の場合は、情報処理装置２００は公知の人物認識、あるいは、顔認識アルゴリズムを使って、画像データ中に人物が含まれているかを判定する。また、「風景」の場合も、情報処理装置２００は、公知のシーン判定技術を用いて、当該画像が海や草原などの風景写真であるかどうか判定処理を行う。「ダーク」、「ハイライト」に関しては、例えば、情報処理装置２００が画像データのヒストグラムを解析し、所定の閾値でもって、当該画像がダーク、あるいはハイライトな画素が支配的な画像であるかを決定する。
【００３９】
次のＳ４０４にて、情報処理装置２００は、画像に対する画像タイプ判定結果を画像リストデータ１０００に記録する。図１０に示す画像リストデータ１０００中の画像タイプ領域１００３は、画像タイプ判定結果の記録の一例であり、各画像がどの画像タイプとして判定されたかを示している。なお、画像リストデータ１０００中の該当数領域１００４は、各画像タイプに属する画像データの総数を示しており、情報処理装置２００は、個々の画像データの判定処理の結果をその都度反映させるよう制御する。
【００４０】
その後、情報処理装置２００はＳ４０５にて、現在の画像タイプ判定モードで全ての対象画像データの判定が終了したかどうかを判定する。未判定の画像データがあれば、情報処理装置２００はＳ４０２へと処理を進め、判定対象として、画像リストデータ１０００上の次の画像データを選択する。一方、全てのデータの判定が終了していれば、情報処理装置２００はＳ４０６へと処理を進め、全ての画像タイプ判定モードでの判定処理が終了したかどうかを判定する。
【００４１】
判定処理を実施していない画像タイプ判定モードがあれば、情報処理装置２００はＳ４０１へと処理を進め、画像タイプ判定モードを次のモードへと変更する。一方、全ての画像タイプ判定モードにて判定処理が終了していれば、情報処理装置２００は画像タイプ判定フローを終了する。
【００４２】
＜画像割当処理＞
次に、前述の画像割当処理Ｓ３０５の詳細を図５に示す処理フロー図を使って説明する。本フローチャートは、情報処理装置２００のＲＯＭ２０６に格納されたプログラムに従って、情報処理装置２００のＣＰＵ２０１が実行することによって実現される。
まず、情報処理装置２００は、Ｓ５０１にて、ＲＡＭ２０２内の画像リストデータ１０００を呼び出す。
【００４３】
次に、情報処理装置２００は、Ｓ５０２にて、画像タイプの割当優先順を決定する。ここでは、「人物」、「風景」、「ダーク」、「ハイライト」の順で、システムが予め定義しているものとして、以降の処理の説明をする。
【００４４】
Ｓ５０３にて、情報処理装置２００は、画像割当処理の対象となる画像タイプを設定する。情報処理装置２００は、画像割当処理の開始直後は、Ｓ５０２で決定した割当優先順の先頭の画像タイプを設定するため、本実施例の場合、まず「人物」が画像割当対象に設定される。
【００４５】
次に、Ｓ５０４にて、情報処理装置２００は、画像割当処理の対象画像データを決定する。初めて処理する場合は、情報処理装置２００は、対象画像データとして、画像リストデータ１０００中の先頭の画像データを選択する。
【００４６】
そして、Ｓ５０５にて、当該画像データに割当済みフラグが付与されているかを判定する。なお、割当済みフラグの詳細は、以降のＳ５０８の処理の説明時に記載する。
【００４７】
当該画像データに割当済みフラグが付与されている場合は、情報処理装置２００は、Ｓ５０４へと処理を進め、画像リストデータ１０００上の次の画像データを処理対象画像として決定する。一方、当該画像データに割当済みフラグが付与されていない場合、情報処理装置２００はＳ５０６にて、当該画像データが画像割当処理対象の画像タイプに該当するかを、前述の画像タイプ判定結果情報から判定する。
【００４８】
当該画像データが画像割当処理対象の画像タイプに該当しない場合は、情報処理装置２００は、Ｓ５０４へと処理を進め、画像リストデータ１０００上の次の画像データを処理対象画像として決定する。一方、当該画像データが画像割当処理対象の画像タイプに該当する場合は、情報処理装置２００はＳ５０７にて、当該画像データに画像タイプ属性とチェック観点属性を付与する。チェック観点属性とは、システムが予め各画像タイプに対して紐付けて定義しておく属性である。例えば、「人物」の画像タイプには、「肌色」、「粒状性」のチェック観点が紐付けられている。なお、チェック観点属性の割り当ては、システムが機械的に所定の順番で割り当てるものとする。例えば、「人物」の画像タイプに、前述の「肌色」、「粒状性」の２つのチェック観点が紐づいている場合、「人物」に割り当てられた１つ目の画像データは「肌色」、２つ目のデータは「粒状性」のチェック観点を割り当てるものとする。３つ目以降は、再度「肌色」、「粒状性」の順でチェック観点が割り当てられる。
【００４９】
続いて、情報処理装置２００は、Ｓ５０８にて、当該画像データに割当済みフラグを付与する。具体的には、情報処理装置２００は、ＲＡＭ２０２内の画像リストデータ１０００の割当処理領域１００５にて、当該画像データに対する情報を「未」から「済」へと上書きする。図１０は、画像割当処理前の画像リストデータ１０００を示すため、割当処理領域１００５内の情報は全て「未」となっているが、本処理によって適宜「済」に更新されていく。
【００５０】
次に、情報処理装置２００は、Ｓ５０９にて、現在の画像割当処理対象の画像タイプに、必要数の画像データが割当済みかを判定する。この「必要数」は、システムが予め定義する固有の値であり、チェック観点の数のＮ倍が好ましい。本実施例では、説明の簡略化のため、この画像割当数パラメータＮを１とする。この場合、２つのチェック観点が定義されている画像タイプに対して、割当が必要とされる画像データの数は２となる。
【００５１】
現在の画像割当処理対象の画像タイプに必要数の画像データが割当済みであれば、情報処理装置２００は、処理フローをＳ５１１へと進める。一方、現在の画像割当処理Ｓ３０５対象の画像タイプに必要数の画像データが割当済みで無い場合、情報処理装置２００は処理をＳ５１０に進め、当該画像データが画像リストデータ１０００の最後の画像データであるかを判定する。当該画像データが最後の画像でなければ、情報処理装置２００は、Ｓ５０４へと処理を進め、画像リストデータ１０００上の次の画像データを処理対象画像として決定する。一方、当該画像データが最後の画像であれば、情報処理装置２００は、処理フローをＳ５１１へと進める。
【００５２】
Ｓ５１１にて、情報処理装置２００は、全ての画像タイプへの画像割当処理が終了したかを判定する。全ての画像タイプへの画像割当処理が終了していない場合、情報処理装置２００は、Ｓ５０３へと処理を進め、画像割当処理対象を次の優先順の画像タイプに設定する。全ての画像タイプへの画像割当処理が終了している場合は、情報処理装置２００は画像割当処理を終了する。
【００５３】
ここで、図１０の画像リストデータ１０００が示す画像タイプ判定結果１００３を例に、上述の画像割当処理Ｓ３０５を進めた場合の動作を説明する。
【００５４】
情報処理装置２００はまず、「人物」に対し、画像データの割当処理を実行する。画像リストデータの先頭から「人物」と判定された画像データを必要数分の２つ検出した結果、情報処理装置２００は、ＩＤが１と３のデータを「人物」に割り当て、かつ、割り当て済みフラグを付与する。次に、画像割当対象は「風景」、そして、「ダーク」へと、変更され、情報処理装置２００は、ＩＤが２と５のデータを「風景」に、ＩＤが４と６のデータを「ダーク」へと割り当てる。最後に、情報処理装置２００は、「ハイライト」に対する画像割当処理Ｓ３０５を実施するが、該当する画像データはＩＤが７の１データのみであるため、必要数の２データに満たないまま処理を終了する。図９（Ａ）の画像割当結果Ａ（９００）は、この例における画像割当処理Ｓ３０５の結果を示しており、図中の網かけ部が各画像タイプに対し割り当てられた画像データである。
【００５５】
このように、割当処理対象の画像タイプに必要数分の画像データが割り当てられないまま、画像割当処理Ｓ３０５対象が次の画像タイプに変更される場合がある。すなわち、割当て画像データが予め定義された必要数に満たないまま画像割当処理Ｓ３０５が終了する場合があるのだが、情報処理装置２００はこれを正しい動作としてそのまま処理を続行する。本システムにおいては、省コストなテスト印刷データ作成の実現を目的とするため、該当する画像データが必要数に満たないことは問題とはならない。
【００５６】
しかし、画像データをより満遍なく各画像タイプに割り当てるため、情報処理装置２００はＳ５０２にて、各画像タイプの必要画像データ数に対する、該当画像データ数の比が小さい順に、割当優先順を決定してもよい。図１０の画像リストデータ１０００が示す画像タイプ判定結果１００３を例に説明する。各画像タイプの必要画像データ数２に対し、各画像タイプに該当する画像データ数が、図１０の画像リストデータ１０００の該当数領域１００４に記録されるとおり、「人物」：５、「風景」：２、「ダーク」：６、「ハイライト」：３であるとする。この場合、必要数／該当数は、「人物」：５／２、「風景」：２／２、「ダーク」：６／２、「ハイライト」：３／２となるため、割当優先順は、１．「風景」、２．「ハイライト」、３．「人物」、４．「ダーク」の順となる。この順で、画像割当処理Ｓ３０５を進めると、図９（Ｂ）の画像割当結果Ｂ（９０１）が示すとおり、全ての画像タイプに対し必要数の２データが割り当てられる。なお、後述の画像編集処理Ｓ３０６の説明では、画像割当結果Ｂ（９０１）の結果を用いる。
【００５７】
＜画像編集処理＞
次に、前述の画像編集処理Ｓ３０６の詳細を図６、図１１を用いて説明する。図１１は、画像割当処理Ｓ３０５の結果から作成され、ＲＡＭ２０２に保存される画像割当リスト１１００を示す。画像処理許可情報１１０１は、画像タイプとチェック観点の組み合わせに対して、所定の画像処理の可否が予め定義されている。本実施例では、情報処理装置２００は、所定の画像処理として、縮小処理とトリミング処理を実施する。例えば、色味に関しては、縮小処理、あるいは、対象箇所を含むトリミング処理をしても、画質の確認は可能であるため、いずれも可としている。一方で、階調性は、縮小処理をしてしまうと忠実な再現が難しくなるため、縮小は不可とし、対象箇所を含むトリミング処理は可としている。
【００５８】
割り当て画像ＩＤ情報１１０２は、画像割当処理Ｓ３０５により、画像タイプとチェック観点の組み合わせに対して割り当てられた画像のＩＤを示すものであり、図１１中の割り当て画像ＩＤ情報１１０２は、画像割当結果Ｂ（９０１）の結果に従っている。
【００５９】
図６は、画像編集処理Ｓ３０６の処理フローである。本フローチャートは、情報処理装置２００のＲＯＭ２０６に格納されたプログラムに従って、情報処理装置２００のＣＰＵ２０１が実行することによって実現される。
【００６０】
情報処理装置２００は、まず、Ｓ６０１にて、ＲＡＭ２０２内の画像割当リスト１１００を呼び出し、Ｓ６０２にて、画像処理対象となる画像データを決定する。初めて処理する場合は、情報処理装置２００は、対象画像データとして、画像割当リスト１１００中の先頭の画像データを選択する。
【００６１】
そして、情報処理装置２００は、Ｓ６０３にて、当該画像データに対して、縮小処理が許可されているかを画像処理許可情報１１０１から判定する。
【００６２】
縮小処理が許可されている場合は、情報処理装置２００はＳ６０４にて、当該画像データに対し縮小処理を実施した後に、Ｓ６０５へと処理を進める。縮小処理が許可されていない場合はそのままＳ６０５へと処理を進める。なお、本実施例における縮小処理は、例えば１／４のように所定の倍率で実施するものとする。
【００６３】
Ｓ６０５にて、情報処理装置２００は、当該画像データに対して、トリミング処理が許可されているかを画像処理許可情報１１０１から判定する。
【００６４】
トリミング処理が許可されている場合は、情報処理装置２００はＳ６０６にて、当該画像データに対しトリミング処理を実施した後に、Ｓ６０７へと処理を進める。トリミング処理が許可されていない場合はそのままＳ６０７へと処理を進める。なお、本実施例におけるトリミング処理は、例えば元画像の１／２のように所定の倍率で実施するものとする。また、トリミング処理によって切り出す領域は、画像タイプに応じて最適な箇所を選択するものとする。例えば、画像タイプが「人物」の場合は、人物が含まれている領域、「ダーク」の場合は、ヒストグラムの解析結果、最も信号値がダークな領域を切り出せばよい。
【００６５】
情報処理装置２００は、Ｓ６０７にて、処理後画像データのサイズ情報をＲＡＭ２０２内の画像割当リスト１１００に紐付けて記録する。
【００６６】
続いて、Ｓ６０８で、情報処理装置２００は、編集処理が未終了の画像データがあるかを判定する。編集処理が未終了の画像データがあれば、情報処理装置２００はＳ６０２へと処理を進め、画像割当リスト１１００上の次の画像データを編集処理対象に決定する。全ての画像データに対し編集処理が終了している場合、情報処理装置２００は、画像編集処理を終了する。
【００６７】
本実施例により、複数の画像タイプに該当する画像データを用いてテスト印刷データを作成するため、オペレータの嗜好、習熟度に依存することなく、広い観点で画質をチェックすうことが可能となる。また、画質チェックに与える影響を回避しつつテスト画像データを縮小、トリミングするため、画質チェックの精度とテスト印刷コストの低減の両立が可能となる。
【００６８】
＜実施例２＞
次に第２の実施例における、画像タイプ判定処理Ｓ３０４の対象画像データを、画像サイズにより限定する方法について説明する。
【００６９】
実施例１においては、情報処理装置２００は、ＲＡＭ２０２の画像リストデータ１０００に列挙される全ての画像データに対して、画像タイプ判定処理Ｓ３０４を実施するがその限りでは無い。
【００７０】
情報処理装置２００は、画像タイプ判定処理Ｓ３０４を実施する前に、各画像データのサイズ判定を実施し、所定のサイズに満たない画像に対しては画像タイプ判定処理Ｓ３０４を実施しないよう制御してもよい。
【００７１】
情報処理装置２００は、前述のＳ３０３にて、ソート処理に使用したサイズ情報１００２も含めて画像リストデータ１０００を作成し、ＲＡＭ２０２に保存する。本実施例においては、画像サイズ情報は、特大、大、中、小と数種類に分類されたものとする。そして、情報処理装置２００は、画像タイプ判定処理を実施する前に、この画像サイズ情報をもとに、画像タイプ判定処理Ｓ３０４を実施しない画像データを特定する。本実施例で、除法処理装置は、画像サイズが小と分類された画像データを画像タイプ判定処理Ｓ３０４の対象外とする。したがって、図１０の画像リストデータ１０００の場合、ＩＤ：７〜Ｎの画像データが、画像タイプ判定の処理対象外とされる。
【００７２】
本実施例により、ユーザーの画質に対する期待度、そして、画質劣化が目立つ可能性が相対的に低いと予想される小サイズ画像を処理の対象外とするため、より効率的、かつ画質チェックの精度を落とすことのないテスト印刷データを作成することが可能となる。
【００７３】
なお、割当て画像データが予め定義された必要数に満たない場合は、情報処理装置２００は、実施例１と同様にそのまま処理を終えるが、その限りでは無い。情報処理装置２００は、必要数を満たすよう、画像タイプ判定の処理対象外とされた小サイズ画像データに対しても追加で画像タイプ判定処理Ｓ３０４と画像割当処理Ｓ３０５を実施しても良い。
【００７４】
上記の例で、ＩＤ：７〜Ｎの画像データが画像タイプ判定の処理対象外となった結果、画像割当数が必要数に満たなかった場合、情報処理装置２００は、ＩＤ：７〜Ｎの画像データのみに対し、再度画像タイプ判定処理Ｓ３０４と画像割当処理Ｓ３０５を実施する。なお、不足の画像データ数が、必要数として定義された上で、画像割当処理Ｓ３０５が情報処理装置２００により実施される。この小サイズ画像に対する追加処理は、情報処理装置２００が自動で実行されるがその限りでは無い。基準サイズ内の画像データのみでは、割り当て画像数が必要数に満たないと判定された場合、情報処理装置２００はＵＩを通じてオペレータ承認を得た上で追加処理を実行してもよい。この場合、情報処理装置２００はＵＩを介して、必要画像データ数に満たないテスト印刷データが作成されたことオペレータに通知する。そして同時に、情報処理装置２００は、基準外の小サイズ画像を追加することで必要数を満たすテスト印刷データの再生成実行の是非をオペレータに選択させる。オペレータが印刷データの再作成を指示したことを検出し、情報処理装置２００は、小サイズ画像データを用いた、テスト印刷データの再作成処理を開始する。
【００７５】
上記処理により、基本的には小サイズ画像を処理対象外とすることで各種処理の効率性を維持しつつも、より密な画質チェックのためにテスト印刷データを柔軟に再構成することが可能なシステムを提供する。
【００７６】
＜実施例３＞
次に第３の実施例における、画像割当処理Ｓ３０５において各画像タイプに割り当てる画像データの必要数を、本印刷データの情報をもとに動的に決定する方法を説明する。
【００７７】
本実施例において、情報処理装置２００は、画像割当処理Ｓ３０５の前に、本印刷データのジョブ情報を解析し、印刷用紙サイズと出力ページ数の情報を取得する。
【００７８】
ＲＯＭ２０６には、印刷用紙サイズと出力ページ数に応じて可変な画像割当数パラメータ情報１２００が予め保存されている。情報処理装置２００は、この画像割当数パラメータをＲＯＭ２０６から呼び出し、取得したジョブ情報を用いて、画像割当数パラメータＮを動的に決定する。図１２は、画像割当数パラメータ情報１２００の一例を示している。例えば、本印刷データが、Ａ３用紙を使った３０ページのジョブである場合、情報処理装置２００は画像割当数パラメータ情報１２００から、画像割当数パラメータＮを２と決定し、画像割当処理Ｓ３０５を実施する。
【００７９】
本実施例により、本印刷の規模に応じた、より適切な分量のテスト印刷データを作成することが可能となる。
【００８０】
＜実施例４＞
次に第４の実施例において、画像割当処理Ｓ３０５が、オペレータからの指示に基づき、画像の割り当て処理を実施する画像タイプの順序、又は対象を決定する方法を説明する。
【００８１】
情報処理装置２００は、オペレータによる所定のＵＩ操作を受け、図８（Ａ）に示すテスト印刷設定画面８００をディスプレイに表示する。そして、テスト印刷設定画面８００上にて、オペレータによるテストデータ抽出設定ボタン８０３の押下を検出すると、情報処理装置２００は、図８（Ｄ）のテストデータ抽出設定画面８３０をディスプレイに表示する。テストデータ抽出設定画面８３０は、画像タイプ選択領域８３１と、抽出モード選択領域８３６と、戻るボタン８３９とで構成される。画像タイプ設定領域８３１には、人物ボタン８３２、風景ボタン８３３、ダークボタン８３４、ハイライトボタン８３５など、システムが定義する各画像タイプに対するボタンが表示される。オペレータはこれらのボタンを押下することで、優先的に画像データを抽出したい複数の画像タイプを、情報処理装置２００に対して指定することができる。抽出モード選択領域８３６には、優先ボタン８３７、限定ボタン８３９など、指定された優先画像タイプに対する画像割当方法をオペレータに選択させるボタンが表示される。また、戻るボタン８３９がオペレータに押下された場合は、情報処理装置２００は、ディスプレイの表示をテスト印刷設定画面８００に戻すよう制御する。
【００８２】
次に、オペレータによって優先ボタン８３７、あるいは、限定ボタン８３８が選択されている場合の画像割当方法を説明する。
【００８３】
情報処理装置２００は、上述のＳ５０２で画像タイプの割当優先順を決定する際に、画像タイプ選択領域８３１と抽出モード選択領域８３６にて選択されている項目を検出する。
【００８４】
抽出モード選択領域８３６にて、優先ボタン８３７が選択されている場合、情報処理装置２００は、まず、画像タイプ選択領域８３１で選択されている優先画像タイプのみの、割当優先順Ａを決定する。続いて、情報処理装置２００は、残りの画像タイプの割当優先順Ｂを決定する。そして、情報処理装置２００は、これら割当優先順Ａの後に割当優先順Ｂを結合させることで、最終的な画像割当順を決定する。なお、選択された優先画像タイプ同士、あるいは、選択外の非優先画像タイプ同士での割当優先順の決定方法は、上記の実施例１〜３と同様であるため、説明は省略する。
【００８５】
一方、抽出モード選択領域８３６にて、限定ボタン８３８が選択されている場合、情報処理装置２００は、画像タイプ選択領域８３１で選択されている優先画像タイプのみで割当優先順を決定する。選択外の非優先画像タイプに関しては、情報処理装置２００は、Ｓ５０２以降の処理で対象外として制御する。
【００８６】
Ｓ５０２で割当優先順を決定した後の処理は、上記実施例１〜３と同様であるため、説明を省略する。
【００８７】
ここで具体例として、画像タイプ判定処理Ｓ３０４の結果が、図１０の画像タイプ領域１００３が示すとおりであった場合の動作を説明する。
【００８８】
まず、図８のテストデータ抽出設定画面８３０のとおり、人物ボタン８３２、ダークボタン８３４、そして、優先ボタン８３７が設定されているとする。
【００８９】
この場合、情報処理装置２００は、Ｓ５０２にて、まず、「人物」と「ダーク」のみで割当優先順を決定する。本実施例では、システムが予め定義した「人物」、「風景」、「ダーク」、「ハイライト」の順を参照して、割当優先順が決定されるものとする。この場合、１．「人物」、２．「ダーク」の順となる。続いて、情報処理装置２００は、残りの「風景」と「ハイライト」とで割当優先順を決定する。この場合、１．「風景」、２．「ハイライト」の順となる。最後に、情報処理装置２００は、これらの割当優先順を結合し、１．「人物」、２．「ダーク」、３．「風景」、４．「ハイライト」と最終的な割当優先順を確定させる。
【００９０】
次に、人物ボタン８３２、ダークボタン８３４、そして、限定ボタン８３８が設定されているとする。この場合、情報処理装置２００は、Ｓ５０２にて、「人物」と「ダーク」のみで割当優先順を決定するため、最終的な割当優先順は１．「人物」、２．「ダーク」となる。
【００９１】
本実施例により、本印刷を構成する画像データの種類が偏っている場合でも、その内容に合わせテスト画像の抽出方法を変更することが可能であるため、より効率的かつ省コストなテスト印刷データ作成が可能となる。
【００９２】
なお、上記実施例は、抽出モード選択領域８３６にて限定ボタン８３８が選択されている場合、画像割当処理Ｓ３０５以降の処理から対象を優先画像タイプに限定したが、その限りでは無い。情報処理装置２００は、さらに、画像タイプ判定処理Ｓ３０４の開始時に、抽出モード選択領域８３６にて限定ボタン８３８が選択されているかを判定し、その結果に応じて以降の処理を変更してもよい。この場合、情報処理装置２００は、限定ボタン８３８が選択されていることを検出すると、画像タイプ選択領域８３１で選択されている優先画像タイプを特定する。そして、Ｓ４０１以降の処理は優先画像タイプのみを対象とするように制御する。
【００９３】
この処理により、画像割当処理を実施しない画像タイプに対して、画像タイプ判定処理を省略するため、テスト印刷画像データの生成をより効率的に実施することが可能となる。
【００９４】
＜実施例５＞
実施例５において、情報処理装置２００は、Ｓ３０７にて処理後画像データをレイアウトする際に、各画像の近傍に、画像割当手段Ｓ３０５によって割り当てられた画像タイプ、及び、チェック観点情報をテキストとして追加してもよい。
【００９５】
例えば、Ｓ３０７のテスト印刷データを生成処理が、図１１の画像割当リスト１１００を参照して実施される場合、情報処理装置２００は、ＩＤ：１の処理後画像データの近傍に、「人物：肌色をチェック」という文字列を挿入する。
【００９６】
本実施例により、テスト印刷データ上に配置された各画像に対してどの観点で画質をチェックするべきかが、オペレータにとって明らかとなる。ゆえに、オペレータの習熟度に左右されることのない、一定のレベルの画質チェックが可能なテスト印刷手段を提供することができる。
【符号の説明】
【００９７】
１０２  クライアント装置、１０４  印刷システム、２００  情報処理装置、
２０１  印刷装置、１０００  画像データリスト、１１００  画像割当リスト
【図１】
2015226168.tif 000003
【図２】
2015226168.tif 000004
【図３】
2015226168.tif 000005
【図４】
2015226168.tif 000006
【図５】
2015226168.tif 000007
【図６】
2015226168.tif 000008
【図７】
2015226168.tif 000009
【図８】
2015226168.tif 000010
【図９】
2015226168.tif 000011
【図１０】
2015226168.tif 000012
【図１１】
2015226168.tif 000013
【図１２】
2015226168.tif 000014